(57)【要約】【課題】  耳に装飾体を取り付けたときに、装飾体が顔の正面側に向く装飾体用止め具を提供することである。【解決手段】  装飾体９が取り付けられる耳当て部材５と、止め部材６とが備えられ、上記耳当て部材５と止め部材６とは、連結部材７を介して連結されている。また、装着時に、耳当て部材５は耳たぶＹに接触する接触面５ａと、この接触面５ａとは反対側にあって装飾体９を固定する固定面５ｂを備えている。そして、この接触面５ａは、装着時の顔に向かって、固定面５ｂとの間で、耳当て部材５の厚さを薄くて形成した斜面からなり、上記止め部材６を上記傾斜した接触面５ａに圧接させる力を発揮させる押圧手段を備えている。【選択図】  図２
2017225485.tif 000002
【特許請求の範囲】
【請求項１】
装飾体が取り付けられる耳当て部材と、止め部材とが備えられ、
上記耳当て部材と止め部材とは、連結部材を介して連結されるとともに、
装着時に耳当て部材は耳に接触する接触面と、この接触面とは反対側にあって装飾体を固定する固定面とが備えられ、
上記接触面は、顔方向に向かって固定面との間隔が徐々に狭くなる斜面からなり、
上記止め部材を上記接触面に圧接させる押圧手段が備えられた装飾体用止め具。
【請求項２】
上記耳当て部材の接触面は曲面からなり、
耳当て部材と止め部材との間で挟持力が作用したとき、耳当て部材側の圧接点Ｐ１と、止め部材側の圧接点Ｐ２との間で耳が挟持され、
上記接触面における耳当て部材側の圧接点Ｐ１の位置関係に応じて、上記耳当て部材側の圧接点Ｐ１を通る接線Ａと上記固定面の延長線Ｂとが交わる角度θが変化する構成にした請求項１に記載の装飾体用止め具。
【請求項３】
耳に形成されたピアス孔に通す連結ピンを上記接触面に対してほぼ直角にした請求項１に記載の装飾体用止め具。
【請求項４】
左用と右用とを識別する識別表示を備えた請求項１〜３のいずれかに記載の装飾体用止め具。
【発明の詳細な説明】
【技術分野】
【０００１】
この発明は、宝石などの装飾体を耳に止める装飾体用止め具に関する。
【背景技術】
【０００２】
従来から、宝石などの装飾体を耳たぶＹに止める装飾体用止め具として、次のものが知られている。
従来の装飾体用止め具は、図７に示すように、宝石などの装飾体１が取り付けられる耳当て部材２と、この耳当て部材２との間で挟持力を発揮する止め部材３と、上記耳当て部材２と上記止め部材３とを一体的に連結する連結部材４とを主な構成要素としている。なお、矢印は顔の正面側の方向Ｇを示し、一点鎖線は耳の中心線Ｃを示している。
そして、上記耳当て部材２と上記止め部材３とを正対させ、これら耳当て部材２と止め部材３との間に耳たぶＹを差し込んだときに、それら両者間で耳たぶＹを弾性的に挟む挟持力が発揮されるようにしている。
【先行技術文献】
【特許文献】
【０００３】
【特許文献１】特開平１０−３１３９１３号公報
【発明の概要】
【発明が解決しようとする課題】
【０００４】
上記のように耳当て部材２と止め部材３とが正対しているので、それら両者で耳たぶＹを挟持したとき、耳当て部材２、止め部材３及び耳たぶＹのすべてが、ほぼ平行に保たれる。したがって、耳当て部材２に固定された装飾体１も、ほぼ平行状態が保たれることになる。
しかし、装飾体１が耳たぶＹに対してほぼ平行状態に保たれたとき、装飾体１が顔の正面側を向くとは限らない。なぜなら、人の耳たぶＹはどちらかというと、顔の正面側よりも横に向く傾向があるからである。そのために、装飾体１が顔の正面側を向かずに横へ向いてしまうことが多くなる。
【０００５】
しかし、多くのユーザーは、イヤリングなどを購入するとき、特に、装飾体１の正面のデザインを選択基準にする。もし、そのイヤリングを耳たぶＹに着けて鏡を見たとき、装飾体１の側面しか見えないと、購入動機になった装飾体１のデザインに対して、ユーザーに違和感を持たせてしまう。
【０００６】
また、上記装飾体１は、その側面よりも正面から見たときの装飾性を重視してデザインされるので、装着時に顔の正面から見たときに、装飾体１が顔の正面側を向いていなければ、ファッション効果も減殺されてしまう。
この発明の目的は、装着時に装飾体１を顔の正面側に向かせる装飾体用止め具を提供することである。
【課題を解決するための手段】
【０００７】
第１の発明は、装飾体が取り付けられる耳当て部材と、止め部材とが備えられ、上記耳当て部材と止め部材とは、連結部材を介して連結されている。また、装着時に、耳当て部材は耳に接触する接触面と、この接触面とは反対側にあって装飾体を固定する固定面とを備えている。そして、この接触面は、顔方向に向かって固定面との間隔が徐々に狭くなる斜面からなり、上記止め部材を上記接触面に圧接させる押圧手段が備えられている。
【０００８】
第２の発明は、上記耳当て部材の接触面は曲面からなっている。また、耳当て部材と止め部材との間で挟持力が作用されたとき、耳当て部材側の圧接点Ｐ１と、止め部材側の圧接点Ｐ２との間で耳が挟持される。そして、上記接触面における耳当て部材側の圧接点Ｐ１の位置関係に応じて、上記耳当て部材側の圧接点Ｐ１を通る接線Ａと上記固定面の延長線Ｂとが交わる角度θが変化する構成にしている。
【０００９】
第３の発明は耳に形成されたピアス孔に通す連結ピンを上記接触面に対してほぼ直角にしている。
第４の発明は、左用と右用とを識別する識別表示を備えている。
【発明の効果】
【００１０】
第１の発明の装飾体用止め具によれば、耳当て部材の接触面は、顔方向に向かって固定面との間隔が徐々に狭くなる斜面を備えているので、上記接触面を耳に接触させたとき、上記耳当て部材の固定面が耳に対して傾く。
このように、上記耳当て部材の固定面が傾くので、この固定面に固定された装飾体は顔の正面側の方向に向くことになる。
【００１１】
したがって、ユーザーが、装飾体を耳に着けて鏡を見たときにも、その購入動機になったデザインとの間に違和感を覚えることがない。また、装飾体は、装着時に顔の正面側に向いているので、ファッション効果が減殺されるようなことがない。
【００１２】
第２の発明の装飾体用止め具によれば、止め部材の圧接点Ｐ２に対する、曲面からなる接触面の圧接点Ｐ１の位置を選択することによって、装飾体の傾きを自由に設定できる。したがって、装飾体のデザインや形状等に応じて、顔側に向ける装飾体の角度を自由に選択できる。
【００１３】
第３の発明の装飾体用止め具によれば、耳に形成されたピアス孔に通す連結ピンを上記接触面に対してほぼ直角にしているので、上記耳当て部材の接触面が耳に安定して接触するとともに固定面が傾き、この固定面に固定された装飾体が顔の正面側の方向に向くようになる。
【００１４】
第４の発明の装飾体用止め具によれば、当該止め具は、傾き方向に応じて、左右の装着方向が特定されるが、左右の識別表示を備えているので、左右の装着方向を間違えることがない。
【図面の簡単な説明】
【００１５】
【図１】第１実施形態を示すもので、耳に装飾体を装着した状態を顔の正面側から見た図である。
【図２】第１実施形態を示すもので、止め部材側から見た背面図である。
【図３】第１実施形態を示すもので、耳当て部材と止め部材とのノーマル状態の模式図である。
【図４】第１実施形態を示すもので、図１のIV−IV線断面に相当する図である。
【図５】第２実施形態における斜視図である。
【図６】第３実施形態における耳に装着した状態を上から見た模式図である。
【図７】従来例を耳に装着した状態を上から見た模式図である。
【発明を実施するための形態】
【００１６】
図１〜４に示した第１実施形態は、耳当て部材５とこの耳当て部材との間で耳たぶＹを挟む止め部材６とからなるとともに、これら耳当て部材５と止め部材６とは、連結部材７で連結されている。なお、図中符号１０は、止め部材６に設けたシリコンで、このシリコン１０が耳たぶＹに直接接触するようにしている。
【００１７】
また、上記連結部材７は、図２に示すように、耳当て部材５に固定した一方のつる部７ａと、止め部材６に固定した他方のつる部７ｂとからなるとともに、これらつる部７ａ，７ｂをヒンジ８で回動自在に連結している。
なお、上記ヒンジ８の部分には、図示していないねじりコイルバネを設け、このねじりコイルバネのバネ力が、耳当て部材５と止め部材６とで耳たぶＹを挟むための挟持力を発揮する。なお、上記ねじりコイルバネが、この発明の押圧手段を構成している。
【００１８】
さらに、耳当て部材５は、耳たぶＹに接触する接触面５ａと、この接触面５ａとは反対側に設けた固定面５ｂとからなり、この固定面５ｂを平らにしてそこに装飾体９を固定している。
そして、上記接触面５ａは、図４からも明らかなように、一方の端部から他方の端部に向かって、固定面５ｂとの対向間隔を短くした傾斜曲面にしている。そして、耳たぶＹを上記のように挟むときには、上記対向間隔を短くした端部を顔に接近させる。
【００１９】
また、上記止め部材６は、耳当て部材５の固定面５ｂと平行にしているが、上記連結部材７を、ヒンジ８を中心に回動したとき、耳当て部材５と止め部材６とは、上記平行関係を維持するようにしている。言い換えると、上記平行関係を保ったまま、耳当て部材５と止め部材６とが接近したり離れたりできるようにしている。
【００２０】
上記のようにした耳当て部材５と止め部材６とで耳たぶＹを挟持すれば、耳当て部材５の接触面５ａすなわち曲面のいずれかの点が、図４に示すように圧接点Ｐ１となり、止め部材６の圧接部分が圧接点Ｐ２になる。
そして、図４のように耳当て部材５と止め部材６とで耳たぶＹを挟持したときの圧接点Ｐ１を通る接線Ａは、耳たぶＹの中心線Ｃとほぼ平行になる。
【００２１】
ただし、上記したように接触面５ａは顔側に向けて傾斜させているので、固定面５ｂは、上記接線Ａに対して角度θだけ傾くことになる。この角度θの傾きが、装飾体９を顔の正面側のＧ方向にむけることになる。なお、符号Ｂは固定面５ｂの延長線で、この延長線Ｂと上記接線Ａとで上記角度θが形成されることになる。
【００２２】
また、上記角度θは、圧接点Ｐ１が顔側に近づけば近づくほど大きくなるので、装飾体９を顔の正面側Ｇに向けられるが、圧接点Ｐ１をいずれに定めるかは自由である。したがって、装飾体９のデザインや形状等に応じて、顔側に向ける装飾体９の角度θを自由に選択できる。
【００２３】
そして、耳当て部材５と止め部材６とを、止め部材６の中心がヒンジ８の軸線方向である横方向にずらして非正対の状態に保てば、上記圧接点Ｐ１を顔側に移動させることができる。図４においては、曲面を構成する接触面５ａ上の点Ｓから点Ｓ´までの間なら、いずれの箇所にも圧接点Ｐ１とすることができる。
【００２４】
さらに、この第１実施形態では、左右に止める一対の装身具は、その傾き方向に応じて、右耳用あるいは左耳用というように装着位置が特定される。例えば、当該装飾体用止め具のいずれかの箇所に、文字、図形を表示したり、色彩を施したりして、それらを識別表示にすることができる。
【００２５】
図５に示した第２実施形態は、止め部材６をネジ機構１１の締付力で耳当て部材５に圧接させるようにしたもので、その他は第１実施形態と同様である。
上記ネジ機構１１は、雌ネジ部材１２に雄ネジ部材１３をはめるとともに、雄ネジ部材１３の端部にはつまみ１４を設けている。そして、上記雌ネジ部材１２と耳当て部材５とを連結部材７を介して連結している。
【００２６】
また、上記雄ネジ部材１３であって、上記つまみ１４とは反対端に止め部材６を設けている。
したがって、耳当て部材５と止め部材６との間に耳たぶＹを挟んでから、雄ネジ部材１３を回せば、耳当て部材５と止め部材６との間で耳たぶＹを挟持できる。
なお、上記ネジ機構１１がこの発明の押圧手段を構成する。
また、この第２実施形態における耳当て部材５と止め部材６との相対関係は、第１実施形態と同じである。
【００２７】
図６に示した第３実施形態はピアスに関するもので、耳当て部材１８と、その耳当て部材１８との間で耳たぶＹを挟む止め部材１９とを備えるとともに、これら耳当て部材１８と止め部材１９とを連結ピン２０で連結している。
【００２８】
上記耳当て部材１８は、止め部材１９と対向する側の面であって、装着時に耳当て部材１８が耳たぶＹに接触する面を接触面１８ａとし、この接触面１８ａとは反対側にあって装飾体２１を固定する固定面１８ｂとしている。
【００２９】
さらに、耳当て部材１８の固定面１８ｂは、顔方向に向かって接触面１８ａとの間隔が徐々に狭くなる斜面からなる。
そして、接触面１８ａのほぼ中央から連結ピン２０を固定するとともに、上記接触面１８ａと連結ピン２０とをほぼ直角にしている。
【００３０】
上記連結ピン２０は、あらかじめ耳たぶＹに空けられたピアス孔２２を貫通させ、耳たぶＹの裏側に上記連結ピン２０の先端を突出させ、その突出部分に止め部材１９を止めるようにしている。
また、この耳当て部１８と止め部材１９との間で挟持力が発揮されるが、この第３実施形態では、この耳当て部１８と止め部材１９とが、この発明の押圧手段を兼ねるものである。
【００３１】
図６に示すように、当該止め具を装着した状態において、接触面１８ａが耳たぶＹの中心線Ｃとほぼ平行になるとともに、固定面１８ｂが傾斜しているので、固定面１８ｂの延長線が耳たぶＹの中心線Ｃと角度θを保つ。この角度θが、装飾体２１を顔側に向けることになる。
【産業上の利用可能性】
【００３２】
宝石などの装飾体を耳に止める装飾体用止め具に有用である。
【符号の説明】
【００３３】
５，１８…耳当て部材  、５ａ，１８ａ…接触面  、５ｂ，１８ｂ…固定面  、６，１９…止め部材  、７，２０…連結部材  、８…ヒンジ  、９，２１…装飾体  、Ｙ…耳たぶ  、Ｐ１，Ｐ２…圧接点  、Ｇ…顔の正面側の方向  、Ｃ…耳たぶの中心線  、Ａ…接線  、Ｂ…延長線
【図１】
2017225485.tif 000003
【図２】
2017225485.tif 000004
【図３】
2017225485.tif 000005
【図４】
2017225485.tif 000006
【図５】
2017225485.tif 000007
【図６】
2017225485.tif 000008
【図７】
2017225485.tif 000009